(57)【特許請求の範囲】
【請求項１】
内容物を収納する収納部と、
前記収納部に臨む吸込口及び吹出口を開口する循環ダクトと、
前記循環ダクト内に配される送風機と、
前記循環ダクト内に配されて着脱可能な脱臭ユニットと、
を備え、
前記脱臭ユニットは前記循環ダクト内の空気を脱臭する脱臭体と、前記脱臭体の周囲を覆うとともに空気の流入口及び流出口を開口するハウジングとを有し、
気流の流通方向に延びる複数のリブにより形成したグリルを前記流入口及び前記流出口に設け、
前記ハウジングが前記流入口及び前記流出口を形成する外周壁と異なる壁面の内面に前記脱臭体を保持する保持部を有し、前記脱臭体が前記リブ及び前記外周壁に対して隙間を有して配されることを特徴とする脱臭保存庫。
【請求項２】
前記保持部が前記脱臭体の対向する二面を覆う一対の平板状の平板部を有し、前記平板部と前記平板部に対向した前記ハウジングの外周壁との間に隙間が設けられることを特徴とする請求項１に記載の脱臭保存庫。
【請求項３】
前記ハウジングは前記流入口及び前記流出口が設けられて一面を開口する本体部と、前記本体部を閉じる蓋部とを有し、前記本体部及び前記蓋部の一方が前記保持部を有するとともに、他方が一方に係合して前記隙間に挿入される平板状の係合壁を有することを特徴とする請求項２に記載の脱臭保存庫。
【請求項４】
前記蓋部を前記収納部内に面して配置し、前記本体部に前記保持部を設けるとともに、前記脱臭体と前記蓋部との間に隙間を形成することを特徴とする請求項３に記載の脱臭保存庫。
【発明の詳細な説明】
【技術分野】
【０００１】
本発明は、内容物を脱臭して保存する脱臭保存庫に関する。
【背景技術】
【０００２】
生ゴミや衛生ゴミなどは自治体や業者等による回収日まで各家庭に貯めておかれる。このため、特に夏場などはゴミの臭いが発生し、家庭内に不快な臭気をもたらすという問題がある。
【０００３】
特許文献１には従来の脱臭保存庫が開示されている。この脱臭保存庫は生ゴミ等の廃棄物を収容する容器の上面を蓋部により開閉し、容器内には送風機の駆動により容器内の空気を循環させる循環ダクトが設けられる。循環ダクト内には金属酸化物等の脱臭体が設けられる。
【０００４】
送風機の駆動によって容器内の臭気成分を含む空気が循環ダクト内に流入し、脱臭体を通過して容器内に送出される。これにより、廃棄物から発生する臭いを脱臭体により吸着して脱臭することができる。
【先行技術文献】
【特許文献】
【０００５】
【特許文献１】特開２００４−４３０９８号公報（第４頁、第５頁、第１図）
【発明の概要】
【発明が解決しようとする課題】
【０００６】
しかしながら、脱臭体の臭気成分の吸着能力は有限であるため、脱臭体の吸着能力が低下した場合には脱臭体を交換する必要がある。この時、使用者は脱臭体を手指により保持して交換するため、脱臭体に吸着した臭気成分が手指に付着する。このため、使用者に不快感を与える問題があった。この時、手袋等の装着により臭気成分の手指への付着を回避すると脱臭保存庫の利便性が悪くなる。また、脱臭体が脆性を有する金属酸化物からなる場合は交換時に手指で摘持すると崩れて飛散して人体に付着する問題もあった。
【０００７】
本発明は、利便性を低下させずに、不快感を防止して脱臭体を交換できる脱臭保存庫を提供することを目的とする。
【課題を解決するための手段】
【０００８】
上記目的を達成するために本発明は、内容物を収納する収納部と、前記収納部に臨む吸込口及び吹出口を開口する循環ダクトと、前記循環ダクト内に配される送風機と、前記循環ダクト内に配されて着脱可能な脱臭ユニットと、を備え、前記脱臭ユニットは前記循環ダクト内の空気を脱臭する脱臭体と、前記脱臭体の周囲を覆うとともに空気の流入口及び流出口を開口するハウジングとを有し、気流の流通方向に延びる複数のリブにより形成したグリルを前記流入口及び前記流出口に設けたことを特徴としている。
【０００９】
この構成によると、収納部内に内容物が投入される。送風機の駆動によって内容物の臭気成分を含む収納部内の空気は吸込口を介して循環ダクトに流入し、脱臭ユニットの脱臭体により脱臭して吹出口から送出される。
【００１０】
また本発明は、上記構成の脱臭保存庫において、前記ハウジングが前記流入口及び前記流出口を形成する外周壁と異なる壁面の内面に前記脱臭体を保持する保持部を有し、前記脱臭体が前記リブに対して離れて配されると好ましい。
【００１１】
また本発明は、上記構成の脱臭保存庫において、前記保持部が前記脱臭体の対向する二面を覆う一対の平板状の平板部を有し、前記平板部と前記平板部に対向した前記ハウジングの外周壁との間に隙間が設けられると好ましい。
【００１２】
また本発明は、上記構成の脱臭保存庫において、前記ハウジングは前記流入口及び前記流出口が設けられて一面を開口する本体部と、前記本体部を閉じる蓋部とを有し、前記本体部及び前記蓋部の一方が前記保持部を有するとともに、他方が一方に係合して前記隙間に挿入される平板状の係合壁を有すると好ましい。
【００１３】
また本発明は、上記構成の脱臭保存庫において、前記蓋部を前記収納部内に面して配置し、前記本体部に前記保持部を設けるとともに、前記脱臭体と前記蓋部との間に隙間を形成すると好ましい。
【００１４】
また本発明は、上記構成の脱臭保存庫において、前記蓋部が前記循環ダクトの壁面上に開口する開口部を塞ぐとともに前記開口部の周縁に係脱する係合部を有すると好ましい。
【００１５】
また本発明は、上記構成の脱臭保存庫において、前記脱臭体は金属酸化物により形成されると好ましい。
【発明の効果】
【００１６】
本発明によると、循環ダクトに配した脱臭ユニットが脱臭体を覆うハウジングを有し、気流の流通方向に延びる複数のリブにより形成したグリルをハウジングの流入口及び流出口に設ける。これにより、脱臭体の脱臭性能が低下した際にハウジングを手指で保持して交換することができる。この時、流入口または流出口に手指がかかってもリブによって手指と脱臭体との接触が回避される。したがって、不快感を防止して脱臭体を交換することができる。
【図面の簡単な説明】
【００１７】
【図１】本発明の第１実施形態の脱臭保存庫を示す斜視図
【図２】本発明の第１実施形態の脱臭保存庫を示す側面断面図
【図３】本発明の第１実施形態の脱臭保存庫の循環ダクトを正面側から見た斜視図
【図４】本発明の第１実施形態の脱臭保存庫の循環ダクトを背面側から見た斜視図
【図５】本発明の第１実施形態の脱臭保存庫の脱臭ユニットを示す斜視図
【図６】本発明の第１実施形態の脱臭保存庫の脱臭ユニットの内部を示す斜視図
【図７】本発明の第１実施形態の脱臭保存庫の脱臭ユニットの内部を示す正面図
【図８】本発明の第１実施形態の脱臭保存庫の脱臭ユニットのハウジングの本体部を示す斜視図
【図９】本発明の第１実施形態の脱臭保存庫の脱臭ユニットの蓋部を正面側から見た斜視図
【図１０】本発明の第１実施形態の脱臭保存庫の脱臭ユニットの蓋部を背面側から見た斜視図
【図１１】本発明の第２実施形態の脱臭保存庫の脱臭ユニットの内部を示す正面図
【図１２】本発明の第３実施形態の冷蔵庫の斜視図
【図１３】本発明の第３実施形態の冷蔵庫のダクトユニットを背面側から見た斜視図
【発明を実施するための形態】
【００１８】
＜第１実施形態＞
以下に図面を参照して本発明の実施形態を説明する。図１は第１実施形態の脱臭保存庫の斜視図を示している。脱臭保存庫１は床面に設置される本体部２と本体部２の上面を覆う蓋部１０とを備えている。本体部２は外装を形成する外箱３を有し、外箱３の底面にはキャスター１７、１８（図２参照）が設けられる。外箱３の前面上部にはハンドル１６が設けられ、ハンドル１６を把持して脱臭保存庫１を床面上で移動させることができる。
【００１９】
蓋部１０は外箱３の後端で枢支され、外箱３の上面の開口部３ａ（図２参照）を開閉する。蓋部１０の上面前部には蓋部１０を開く開ボタン１１が設けられる。
【００２０】
図２は脱臭保存庫１の側面断面図を示している。外箱３は水平断面形状が略矩形に形成され、前方が下がる傾斜面から成る上面に開口部３ａを開口する。外箱３の底部には機械室５が設けられ、機械室５の上方に仕切壁９を介して収納部４が設けられる。仕切壁９を含む収納部４の壁面は発泡ウレタン等の断熱材を充填して形成される。
【００２１】
外箱３の後端にはヒンジ部１２によって蓋部１０が枢支される。ヒンジ部１２には蓋部１０を開く方向に付勢する捻りバネから成る付勢部（不図示）が設けられる。蓋部１０には前部の下面に係止爪（不図示）が突出し、外箱３の上面前部には係止爪が係合する孔部（不図示）が設けられる。係止爪が孔部に係合して蓋部１０が閉じられ、開ボタン１１の押下により係止爪と孔部との係合を解除して蓋部１０が開かれる。
【００２２】
また、開口部３ａの周囲及び開口部３ａの周囲に対向する蓋部１０には外箱３と蓋部１０との隙間を塞ぐ環状のパッキン（不図示）が設けられている。これにより、外箱３と蓋部１０との隙間からの臭気成分の流出を防止することができる。
【００２３】
外箱３の底面に配されるキャスター１７、１８は機械室５の底板５ｃに取り付けられる。前方の一対のキャスター１７は鉛直な回転軸及び水平な回転軸を有し、底板５ｃの取付面５ａ上に取り付けられる。後方の一対のキャスター１８は水平な回転軸を有し、取付面５ａに対して下方に配される凹部５ｂに取り付けられる。
【００２４】
凹部５ｂ内には冷凍サイクルを運転する圧縮機７が支持板７ａを介して取り付けられる。これにより、後述する内ケース６を配した収納部４の下方に圧縮機７が配置される。したがって、脱臭保存庫１の設置スペースを小さくし、居室内に脱臭保存庫１を設置することができる。
【００２５】
また、キャスター１７の取付面５ａ対して下方に配される凹部５ｂに圧縮機７が設置されるため、機械室５の高さを低くすることができる。これにより、内容積の大きい収納部４を形成するとともに、外箱３の開口部３ａを低い位置に設けることができる。
【００２６】
圧縮機７には冷媒管から成る冷却器８が接続される。冷却器８は蛇行により収納部４の前壁及び両側壁内に配される。圧縮機７により冷凍サイクルが運転されると、冷却器８によって収納部４内が冷蔵温度（０℃〜１０℃）に冷却される（本実施形態では３℃）。収納部４内を氷点よりも高温の冷蔵温度に冷却することにより、結露水の凍結による蓋部１０や後述する内ケース６の固着を防止することができる。
【００２７】
また、本体部２の前面の下端部には表示パネル１５が設けられる。表示パネル１５は例えば液晶表示パネルから成り、収納部４内の温度を表示する。
【００２８】
仕切壁９内には収納部４と外箱３の外部とを連通させるドレンパイプ３３が設けられる。収納部４の冷却により収納部４内に発生する結露水はドレンパイプ３３を介して排水される。なお、機械室５内に結露水の受け皿を設け、ドレンパイプ３３により収納部４と受け皿上とを連通させてもよい。また、ドレンパイプ３３を有さない構成とすることもできる。
【００２９】
収納部４内には上面を開口して廃棄物が投入される内ケース６が配される。内ケース６は水平断面形状が略矩形に形成され、開口部３ａを介して廃棄物が出し入れされる。内ケース６には廃棄物を出し入れする際に把持される把手（不図示）が設けられる。内ケース６内に廃棄物が投入されるゴミ袋を設け、開口部３ａを介してゴミ袋を出し入れてもよい。
【００３０】
収納部４には収納部４内の空気を循環させる循環ダクト２０が設けられる。循環ダクト２０は収納部４の背壁から成る設置壁４ａ上に配される。循環ダクト２０上には収納部４内の温度を検知する温度センサ３６が設けられる。温度センサ３６の検知結果に基づいて圧縮機７をオンオフし、収納部４内が所定温度に維持される。
【００３１】
図３は循環ダクト２０を前方から見た斜視図を示し、図４は循環ダクト２０を後方から見た斜視図を示している。循環ダクト２０の前面の上端部には吸込口２１ａ及び吹出口２２ａが開口する。吸込口２１ａは前方から見て右方に偏った位置に配され、吹出口２２ａは前方から見て左方に偏った位置に配される。吸込口２１ａ及び吹出口２２ａは内ケース６（図２参照）の上端よりも上方に配される。
【００３２】
循環ダクト２０内には遠心ファンから成る送風機２５が配される。循環ダクト２０の下部は前方に突出し、送風機２５の前方に面した吸気口に気流を導く。吸込口２１ａと送風機２５の吸気口との間に吸気路２２ｃが形成され、送風機２５の排気口と吹出口２２ａとの間に排気路２２ｄが形成される。
【００３３】
排気路２２ｄの側壁上には排気路２２ｄ内にイオンを放出するイオン発生装置２６が配される。イオン発生装置２６は放電電極（不図示）を有し、放電電極に交流波形またはインパルス波形から成る高電圧を印加してコロナ放電させることでイオンやオゾンを発生する。イオン発生装置２６により発生するイオンは脱臭、除菌の効果があるものが好ましく、例えば、マイナスイオンや、プラスイオンとマイナスイオンの対などが好ましい。
【００３４】
イオン発生装置２６と吹出口２２ａとの間の排気路２２ｄ内には脱臭ユニット５０が着脱可能に配される。脱臭ユニット５０は脱臭体５１とハウジング５２とを有する。脱臭体５１は酸化マンガン等の金属酸化物やゼオライト等の吸着剤をハニカム状の基材に担持して形成され、臭気成分の化学吸着や物理吸着によって循環ダクト２０内の気流を脱臭する。ハウジング５２は樹脂成形品により形成され、脱臭体５１の周囲を覆うとともに空気の流入口５２ａ（図６参照）及び流出口５２ｂを開口する。脱臭体５１は、ハニカム状の開口面がハウジング５２の流入口５２ａ及び流出口５２ｂに対向するようにハウジング５２内に配置される。これにより、収納部４内の脱臭効果をより向上させることができる。
【００３５】
イオン発生装置２６を脱臭ユニット５０の上流に配置することで、脱臭体５１に吸着した臭気成分をイオンが分解し、脱臭体５１の長寿命化を図ることができる。なお、脱臭ユニット５０をイオン発生装置２６の上流に配置してもよい。この場合は、吹出口２２ａから収納部４に直接イオンやオゾンを放出することができる。
【００３６】
設置壁４ａ上に配される循環ダクト２０に送風機２５、イオン発生装置２６及び脱臭ユニット５０を配置するため、蓋部１０を軽量化することができる。これにより、付勢部の付勢力を弱くしても蓋部１０を開くことができ、付勢部に抗して蓋部１０を閉じる際の使用者の負担を軽減することができる。
【００３７】
また、送風機２５、イオン発生装置２６及び脱臭ユニット５０が可動部である蓋部１０ではなく本体部２に備えられている。このため、蓋部１０の開閉時に送風機２５、イオン発生装置２６及び脱臭ユニット５０にかかる衝撃を減少できる。したがって、送風機２５、イオン発生装置２６の故障や破損及び脱臭ユニット５０の破損を防止することができる。
【００３８】
図５は循環ダクト２０から取り外した脱臭ユニット５０を後方から見た斜視図を示している。なお、矢印Ｓは気流の流通方向を示している。ハウジング５２は前面を開口する本体部５２ｃと、本体部５２ｃを閉じる蓋部５２ｄとを有する。本体部５２ｃの下面及び上面にはそれぞれ流入口５２ａ（図６参照）及び流出口５２ｂが開口する。流入口５２ａ及び流出口５２ｂには気流の流通方向に延びる複数のリブ５３により形成したグリル５４が設けられる。
【００３９】
図６は脱臭ユニット５０の内部を示す斜視図である。図７は脱臭ユニット５０の内部を示す正面図である。図８はハウジング５２の本体部５２ｃを示す斜視図である。本体部５２ｃは脱臭体５１を保持する保持部５５を有する。保持部５５は樹脂により形成され、本体部５２ｃの両側壁面及び背壁面の内面に設けられる。すなわち、保持部５５は流入口５２ａ及び流出口５２ｂを形成する外周壁と異なる壁面の内面に設けられる。
【００４０】
保持部５５は一対の平板状の平板部５５ａと、平板部５５ａの内面（脱臭体５１に臨む面）に上下に並設されて前後方向に延びる複数のリブ５５ｂと、本体部５２ｃの背壁面に上下に並設されて左右方向に延びる複数のリブ５５ｃとを有する。平板部５５ａは本体部５２ｃの背壁面から前方へ延びて形成され、補強リブ５６により補強される。補強リブ５６は本体部５２ｃの背壁面上に本体部５２ｃの側壁面から平板部５５ａにわたって形成される。これにより、平板部５５ａと平板部５５ａに対向した本体部５２ｃの側壁との間には隙間Ｇが設けられる。
【００４１】
補強リブ５６は上下に複数（本実施形態では４個）並設され、リブ５５ｂは補強リブ５６と異なる上下位置に設けられる。また、補強リブ５６及び平板部５５ａは本体部５２ｃと一体に形成され、補強リブ５６の前後方向（奥行方向）の長さは本体部５２ｃの前後方向の長さの半分よりも短くなっている。
【００４２】
また、平板部５５ａの上下端には対向する平板部５５ａに向けて突出して互いに接近する方向に屈曲した略Ｌ字状の係止部５５ｄ、５５ｅが設けられる。係止部５５ｄは上方のリブ５３よりも下方に形成されるとともに、係止部５５ｅは下方のリブ５３よりも上方に形成される。
【００４３】
図９及び図１０は脱臭ユニット５０の蓋部５２ｄをそれぞれ前方及び後方から見た斜視図を示している。蓋部５２ｄの前面を覆う前面パネル５２ｋの上端部の左右方向の中央部には係合部５２ｅが設けられる。係合部５２ｅは、前面パネル５２ｋから後方へ延びる延在部５２１ｅと、延在部５２１ｅの後端から前方へ向けて延在する延在部５２２ｅとを有する。この時、延在部５２１ｅと延在部５２２ｅとの間には隙間Ｘが形成される。延在部５２２ｅの上面には前後方向で前面パネル５２ｋの前面と略同じ位置に上方に向けて突出する突出部５２３ｅが設けられる。また、延在部５２２ｅの上面の前端には突出部５２３ｅよりも突出量の大きい突出部５２４ｅが設けられる。
【００４４】
前面パネル５２ｋの下端部の両端部には係合部５２ｆが設けられる。係合部５２ｆは前面パネル５２ｋの背面の下端部から下方に向けて突出して形成される。
【００４５】
前面パネル５２ｋの背面の両端部には後方に向けて突出して上下に延びる平板状の係合壁５２ｇが設けられる。係合壁５２ｇの前後方向（奥行方向）の長さは本体部５２ｃの前後方向の長さの半分よりも短くなっている。係合壁５２ｇの上端部及び下端部には爪状の係合部５２ｈが設けられる。係合部５２ｈは本体部５２ｃに設けた係止部（不図示）に係止される。
【００４６】
脱臭ユニット５０の製造工程において、脱臭体５１は本体部５２ｃの前面の開口を介して左右の平板部５５ａの間の空間に挿入される。この時、脱臭体５１はリブ５５ｂの側面、リブ５５ｃの前面、係止部５５ｄの下面及び係止部５５ｅの上面に当接することにより保持部５５で保持される。これにより、平板部５５ａは脱臭体５１の対向する二面を覆う。
【００４７】
また、脱臭体５１は平板部５５ａにより左右方向で弾性支持され、係止部５５ｄ、５５ｅにより上下方向で弾性支持される。これにより、脱臭ユニット５０を揺動させた場合でもハウジング５２内での脱臭体５１の移動を防止することができる。
【００４８】
また、係止部５５ｄは上方のリブ５３よりも下方に形成されるとともに、係止部５５ｅは下方のリブ５３よりも上方に形成される。そして、脱臭体５１は係止部５５ｄと係止部５５ｅとの間に配される。これにより、脱臭体５１がリブ５３に対して離れて配される。したがって、脱臭体５１のリブ５３との接触を回避し、脱臭体５１の破損を防止することができる。
【００４９】
次に、脱臭体５１が取り付けられた本体部５２ｃの隙間Ｇに蓋部５２ｄの係合壁５２ｇを挿入し、本体部５２ｃに設けた係止部（不図示）に係合部５２ｈを係止する。これにより、本体部５２ｃが閉じられ、脱臭ユニット５０が形成される。この時、脱臭体５１と蓋部５２ｄの前面パネル５２ｋとの間には所定の隙間が設けられる。
【００５０】
その後、蓋部５２ｄの係合部５２ｆを脱臭ユニット２０の開口部２０ａ（図３参照）の下端に係合させた後に、突出部５２４ｅ（図９、図１０参照）を手指で下方に向けて押圧しながら延在部５２１ｅ、５２２ｅ（図９、図１０参照）を開口部２０ａ内に挿入する。そして、突出部５２４ｅから手指を離すと延在部５２２ｅ、５２３ｅの弾性変形により突出部５２３ｅが開口部２０ａの上端に係合する。これにより、開口部２０ａが蓋部５２ｄにより閉じられ、脱臭ユニット５０が本体部２に取り付けられる。この時、図３に示すように、蓋部５２ｄは収納部４内に面して配置される。
【００５１】
上記の脱臭保存庫１の横幅×奥行×高さは例えば、３３０ｍｍ×４４０ｍｍ×６８０ｍｍに形成される。また、内ケース６の横幅×奥行×高さは約２２０ｍｍ×約２８０ｍｍ×約３４０ｍｍに形成される。これにより、内ケース６の内容量が約２０Ｌになっている。ゴミ袋を指定のゴミ袋としている自治体が増えており、２０Ｌサイズや３０Ｌサイズのゴミ袋を指定する自治体が多い。本実施形態の内ケース６の内容量とすることで、２０Ｌサイズのゴミ袋をそのまま内ケース６に装着しても無駄なく使用することができる。また、３０Ｌサイズのゴミ袋を内ケース６に装着した場合には内ケース６の上面の開口部でゴミ袋を折り曲げる折り代を有することができ、ゴミ袋に収納した廃棄物に触れずにゴミ袋を内ケース６から取り出すことが容易となる。
【００５２】
また、内ケース６の内容量を約２０Ｌとした場合は、要介護者が利用する大人用の紙おむつを１人１日当たり４枚として４日分（重量約８ｋｇ）を収容することができる。このため、可燃性ゴミの回収日が一週間当たり２回とすると、回収日まで紙おむつを内ケース６内に保管することができる。
【００５３】
また、外箱３の傾斜面から成る上面に開口する開口部３ａの前端の高さは５００ｍｍ〜６００ｍｍに形成される。開口部３ａの前端の高さを５００ｍｍ以上に形成することにより、使用者が屈まずに内ケース６または内ケース６内のゴミ袋を取り出すことができる。また、開口部３ａの前端の高さを６００ｍｍ以下にすることにより、廃棄物の収容により重量の大きい内ケース６やゴミ袋を開口部３ａよりも上方に容易に持ち上げることができる。これにより、腕力の弱い女性や高齢者の使用者でも容易に内ケース６やゴミ袋を取り出して廃棄物を廃棄することができる。
【００５４】
上記構成の脱臭保存庫１において、開ボタン１１の押下により蓋部１０が開き、内ケース６内または内ケース６に配したゴミ袋内に廃棄物を投入して蓋部１０が閉じられる。圧縮機７の駆動によって冷凍サイクルが運転され、収納部４内が冷蔵温度に冷却される。これにより、廃棄物からの臭気成分を含む水分の蒸散が抑制される。
【００５５】
また、送風機２５の駆動により収納部４内の空気は吸込口２１ａを介して循環ダクト２０に流入する。この時、イオン発生装置２６を駆動させる。循環ダクト２０に流入した空気は矢印Ａ（図４参照）に示すように吸気路２２ｃを流通し、送風機２５に導かれる。
【００５６】
送風機２５から排気された空気は矢印Ｂ１（図４参照）に示すように排気路２２ｄを流通し、イオン発生装置２６により発生したイオンによって殺菌及び脱臭が行われる。また、排気路２２ｄを流通する空気は流入口５２ａ（図６参照）を介して脱臭ユニット５０のハウジング５２内に流入する。ハウジング５２内に流入した空気は脱臭体５１を通過した後に流出口５２ｂを介してハウジング５２の外部へ流出する。これにより、送風機２５から排気された空気はさらに脱臭される。また、イオン発生装置２６により発生したイオンは脱臭体５１に吸着した臭気成分を分解する。
【００５７】
脱臭体５１を通過して流出口５２ｂから流出した空気は矢印Ｂ２（図４参照）に示すように吹出口２２ａから収納部４内に送出される。吹出口２２ａから送出された空気に含まれるイオンは収納部４内に拡散され、収納部４内の殺菌及び脱臭が行われる。
【００５８】
脱臭保存庫１の使用により脱臭体５１の脱臭性能は低下するため、所定期間の使用の後に脱臭体５１を交換する必要性が生じる。脱臭体５１の交換の際には、開ボタン１１の押下により蓋部１０を開いた後に、係合部５２ｅ、５２ｆと開口部２０ａの周縁との係合を解除して脱臭ユニット５０を本体部２から取り外す。そして、交換用の脱臭ユニット５０の係合部５２ｅ、５２ｆを開口部２０ａの周縁に係合させることにより、交換用の脱臭ユニット５０を本体部２に取り付ける。
【００５９】
これにより、脱臭体５１の脱臭性能が低下した際にハウジング５２を手指で保持して交換することができる。この時、気流の流通方向に延びる複数のリブ５３により形成したグリル５４を流入口５２ａ及び流出口５２ｂに設けている。これにより、流入口５２ａまたは流出口５２ｂに手指がかかってもリブ５３によって手指と脱臭体５１との接触が回避される。したがって、不快感を防止して脱臭体５１を交換することができる。
【００６０】
また、ハウジング５２が流入口５２ａ及び流出口５２ｂを形成する外周壁と異なる壁面の内面に脱臭体５１を保持する保持部５５を有し、脱臭体５１がリブ５３に対して離れて配される。これにより、脱臭ユニット５０を交換する際に使用者の手指の脱臭体５１への接触を一層防止することができる。また、脱臭体５１のリブ５３への接触を回避できるため、脱臭体５１のリブ５３への接触によって生じる脱臭体５１の粉末等が流入口５２ａや流出口５２ｂから脱臭ユニット５０の外部へ漏れ出ることを防止することができる。
【００６１】
この時、平板部５５ａと平板部５５ａに対向したハウジング５２の外周壁との間に隙間Ｇが設けられる。これにより、脱臭ユニット５０の交換の際に使用者が平板部５５ａに対向したハウジング５２の外周壁を押圧した場合でも応力が脱臭体５１に伝達されにくくなる。したがって、ハウジング５２が外壁の押圧により変形しても脱臭ユニット５０を手指で保持した際の脱臭体５１の破損を防止することができる。
【００６２】
また、リブ５５ｂは補強リブ５６と異なる上下位置に設けられる。これにより、ハウジング５２の本体部５２ｃの外周壁に加えられた力が補強リブ５６を介してリブ５５ｂに伝達されることを防止することができる。したがって、本体部５２ｃの外周壁に加えられた力の脱臭体５１への伝達をより容易に防止して、脱臭体５１の破損を一層容易に防止することができる。
【００６３】
本実施形態によると、循環ダクト２０に配した脱臭ユニット５０が脱臭体５１を覆うハウジング５２を有し、気流の流通方向に延びる複数のリブ５３により形成したグリル５４をハウジング５２の流入口５２ａ及び流出口５２ｂに設ける。これにより、脱臭体５１の脱臭性能が低下した際にハウジング５２を手指で保持して交換することができる。この時、流入口５２ａまたは流出口５２ｂに手指がかかってもリブ５３によって手指と脱臭体５１との接触が回避される。したがって、不快感を防止して脱臭体５１を交換することができる。
【００６４】
また、脱臭体５１の吸着面が金属酸化物により形成される場合には活性炭と比較して吸着できる物質量が多い。これにより、脱臭体５１の脱臭性能を長期間にわたって発揮させることができる。この時、手指の脱臭体５１の吸着面への接触や脱臭体５１の吸着面の破損による人体への付着が生じると、人体に悪影響を及ぼすおそれがあるが、ハウジング５２が脱臭体５１を覆うため、人体に対する悪影響を防止することができる。
【００６５】
また、ハウジング５２が流入口５２ａ及び流出口５２ｂを形成する外周壁と異なる壁面の内面に脱臭体５１を保持する保持部５５を有し、脱臭体５１がリブ５３に対して離れて配される。これにより、脱臭ユニット５０を交換する際に使用者の手指の脱臭体５１への接触を一層防止することができる。
【００６６】
また、保持部５５が脱臭体５１の対向する二面を覆う一対の平板状の平板部５５ａを有し、平板部５５ａと平板部５５ａに対向したハウジング５２の外周壁との間に隙間Ｇが設けられる。これにより、脱臭ユニット５０の交換の際に使用者が平板部５５ａに対向したハウジング５２の外周壁を押圧した場合でも応力が脱臭体５１に伝達されにくくなる。したがって、ハウジング５２が外壁の押圧により変形しても脱臭ユニット５０の交換の際の脱臭体５１の破損を防止することができる。
【００６７】
また、ハウジング５２は流入口５２ａ及び流出口５２ｂが設けられて一面を開口する本体部５２ｃと、本体部５２ｃを閉じる蓋部５２ｄとを有し、本体部５２ｃが保持部５５を有するとともに、蓋部５２ｄが本体部５２ｃに係合して隙間Ｇに挿入される平板状の係合壁５２ｇを有する。これにより、脱臭体５１をハウジング５２内に容易に収納することができる。また、係合壁５２ｇにより本体部５２ｃの外壁が補強され、脱臭ユニット５０の交換の際のハウジング５２の変形を容易に防止し、脱臭体５１の破損をより確実に防止することができる。
【００６８】
なお、蓋部５２ｄが保持部５５を有し、本体部５２ｃが係合壁５２ｇを有してもよい。
【００６９】
また、脱臭体５１は平板部５５ａにより左右方向で弾性支持され、係止部５５ｄ、５５ｅにより上下方向で弾性支持される。これにより、脱臭ユニット５０を揺動させた場合でもハウジング５２内での脱臭体５１の移動を防止することができる。
【００７０】
また、蓋部５２ｄを収納部４内に面して配置し、本体部５２ｃに保持部５５を設けるとともに、脱臭体５１と蓋部５２ｄとの間に隙間を形成する。これにより、収納部４内の内容物が蓋部５２ｄを押圧した場合でも、蓋部５２ｄから脱臭体５１への応力の伝達を防止することができる。したがって、脱臭体５１の破損を容易に防止することができる。
【００７１】
また、脱臭体５１と蓋部５２ｄとの間に隙間を形成するため、ハウジング５２の本体部５２ｃの背壁面を押圧した場合でも脱臭体５１は蓋部５２ｄに衝突しない。これにより、脱臭体５１の破損を一層防止することができる。
【００７２】
また、蓋部５２ｄが循環ダクト２０の壁面上に開口する開口部２０ａを塞ぐとともに開口部２０ａの周縁に係脱する係合部５２ｅ、５２ｆを有する。これにより、本体部２に対して脱臭ユニット５０を容易に着脱することができる。
【００７３】
また、イオン及びオゾンを放出するイオン発生装置２６を脱臭ユニット５０の上流に配するので、脱臭体５１に吸着した臭気成分をイオンが分解し、脱臭体５１の性能を長期に亘って維持させることができる。
【００７４】
＜第２実施形態＞
次に、本発明の第２実施形態について説明する。図１１は本実施形態の脱臭保存庫の脱臭ユニットの内部を示す正面図である。説明の便宜上、前述の図１〜図１０に示した第１実施形態と同様の部分には同一の符号を付している。本実施形態では、補強リブ５６の数及び位置が第１実施形態とは異なっている。その他の部分は第１実施形態と同様である。
【００７５】
本実施形態では、第１実施形態の上から２番目、３番目の補強リブ５６を省き、補強リブ５６を平板部５５ａの上下の端部に設けている。また、上段及び下段の補強リブ５６を係止部５５ｄ、５５ｅと異なる上下位置に設けている。これにより、本体部５２ｃの外周壁に加えられた力が補強リブ５６を介して係止部５５ｄ、５５ｅに伝達されることを防止することができる。したがって、本体部５２ｃの外周壁に加えられた力の脱臭体５１への伝達をより容易に防止して、脱臭体５１の破損を一層容易に防止することができる。
【００７６】
本実施形態でも第１実施形態と同様の効果を得ることができる。また、上下方向の中央部の補強リブ５６を省いているので、脱臭ユニット５０の交換の際に使用者が平板部５５ａに対向するハウジング５２の外周壁を押圧した場合でも応力が隙間Ｇによって脱臭体５１に伝達されにくくなる。したがって、脱臭ユニット５０の交換の際の脱臭体５１の破損をより容易に防止することができる。
【００７７】
なお、第１、第２実施形態において、循環ダクト２０の設置壁４ａが収納部４の周壁の一部である背壁により形成されるが、収納部４の他の周壁により設置壁４ａを形成してもよい。
【００７８】
また、第１、第２実施形態において、収納部４内に生ゴミや衛生ゴミを収納しているが、冷却および除菌によって長期保存が可能となる物品等の内容物を収納してもよい。
【００７９】
＜第３実施形態＞
次に、本発明の第３実施形態について説明する。図１２は本実施形態の冷蔵庫７０の内部を示す斜視図である。図１３は冷蔵庫７０のダクトユニット８０（循環ダクト）を後方から見た斜視図である。なお、図１３において矢印は冷気の流れを示している。説明の便宜上、前述の図１〜図１０に示した第１実施形態と同様の部分には同一の符号を付している。本実施形態では、脱臭ユニット５０が設けられる脱臭保存庫が冷蔵庫７０により形成される点で第１実施形態とは異なっている。その他の部分は第１実施形態と同様である。
【００８０】
冷蔵庫７０は上部に回動式の扉７１ａ、７１ｂで開閉される冷蔵室７１が配され、冷蔵室７１の下方に製氷室７２及び野菜室７３が左右に並設される。製氷室７２の下方には第１冷凍室７４が配され、第１冷凍室７４及び野菜室７３は左右に並設される。第１冷凍室７４及び野菜室７３の下方には第２冷凍室７５が配される。また、冷蔵室７１内の背壁面には冷蔵室７１内の温度を検知する温度センサ（不図示）が設けられる。冷蔵室７１の底壁面には野菜室７３に連通する連通口（不図示）が設けられ、野菜室７３には冷気を冷却器（不図示）に戻す戻り通路（不図示）が導出される。
【００８１】
冷却器で熱交換により生成した冷気によって冷蔵室７１内の貯蔵物は冷蔵保存され、野菜室７３内の貯蔵物は冷蔵室７１の温度よりも高温で冷蔵保存される。また、冷却器で熱交換により生成した冷気によって製氷室７２、第１冷凍室７４及び第２冷凍室７５の貯蔵物は冷凍保存される。
【００８２】
冷蔵室７１の背面側にはダクトユニット８０が設けられる。ダクトユニット８０は前面を覆うＡＢＳ樹脂等の前面パネル８１の背面に発泡スチロール等の断熱材８２が配される。断熱材８２には後方を開口して上下に延びる溝部８２ａ、８２ｂが形成される。溝部８２ａ、８２ｂはそれぞれ前面パネル８１の背面の中央部及び左端部に設けられ、溝部８２ｂは溝部８２ａの下部で溝部８２ａから分岐している。溝部８２ａ、８２ｂによりそれぞれ第１冷気通路８３及び第２冷気通路８４が形成される。
【００８３】
前面パネル８１の左右方向中央部には上下に並んで３つの吐出口８３ａ、８３ｂ、８３ｃが開口し、吐出口８３ａ、８３ｂ、８３ｃは第１冷気通路８３に連通する。第１冷気通路８３の上部は左右に分岐し、この分岐した通路の上端部に吐出口８３ｄ、８３ｅが設けられる。第２冷気通路８４は上部で左方へ屈曲し、左端部に吐出口８４ａを有する。第２冷気通路８４内には脱臭ユニット５０が配される。
【００８４】
ダクトパネル８０の下端部には送風機８５が設けられ、冷却器に連通している。送風機８５の上方（下流）にはイオン発生装置２６が設けられる。イオン発生装置２６と吐出口８３ｃとの間にはダンパ８６が設けられるとともに、イオン発生装置２６と脱臭ユニット５０との間にはダンパ８７が設けられる。ダンパ８６、８７により冷気の流路が第１冷気通路８３と第２冷気通路８４とに切り替えられる。また、ダクトユニット８０の下端部の右端部には戻り口８８が開口し、戻り口８８から側方に延びて送風機８５に冷気を戻す戻り通路９０が設けられる。戻り通路９０内には戻りダンパ９１が設けられる。
【００８５】
冷蔵庫７０は冷却モード及び脱臭モードを有する。冷却モードでは冷却器で生成された冷気を第１冷気通路８３を介して冷蔵室７１等に送出する。脱臭モードでは第２冷気通路８４を介して冷蔵室７１内の空気を脱臭する。
【００８６】
上記構成の冷蔵庫７０において、送風機８５を駆動させてダンパ８６を開くとともにダンパ８７及び戻りダンパ９１を閉じると、冷却器で生成された冷気が第１冷気通路８３内を流通する。第１冷気通路８３を流通した冷気は吐出口８３ａ、８３ｂ、８３ｃ、８３ｄ及び８３ｅを介して冷蔵室７１内に流入する。これにより、冷却モードが行われて冷蔵室７１内の貯蔵物が冷蔵保存される。この時、イオン発生装置２６を駆動させると、発生したイオンにより冷気の除菌及び脱臭が行われる。冷蔵室７１内を流通した冷気は連通口を介して野菜室７３に流入する。野菜室７３内を流通した冷気は戻り通路を介して冷却器に戻る。
【００８７】
冷却モードが行われて冷蔵室７１内の温度が所定温度（例えば３℃）に到達している場合は、ダンパ８６を閉じるとともにダンパ８７及び戻りダンパ９１を開いて送風機８５が駆動される。これにより、冷蔵室７１から戻り口８８を介して戻り通路９０に流入した冷気は送風機８５を通過した後に第２冷気通路８４内に流入する。そして、第２冷気通路８４内を流通する冷気は脱臭ユニット５０により脱臭されて吐出口８４ａから冷蔵室７１内に流入する。これにより、脱臭モードが行われて冷蔵室７１内の空気が循環して脱臭される。したがって、冷蔵庫７０は内容物を脱臭して保存する脱臭保存庫を構成する。
【００８８】
脱臭ユニット５０を交換する際には蓋部５２ｄの係合部５２ｅ、５２ｆと開口部８９（図１２参照）の周縁との係合を解除する。これにより、脱臭ユニット５０をダクトユニット８０に対して容易に着脱することができる。
【００８９】
本実施形態でも第１実施形態と同様の効果を得ることができる。また、ダクトパネル８０に脱臭ユニット５０を設けているため、冷蔵室７１の脱臭を容易に行うことができる。
【産業上の利用可能性】
【００９０】
本発明によると、臭いを発生する内容物を収容する脱臭保存庫に利用することができる。
【符号の説明】
【００９１】
１    脱臭保存庫
２    本体部
３    外箱
４    収納部
５    機械室
６    内ケース
７    圧縮機
８    冷却器
９    仕切壁
１０    蓋部
１１    開ボタン
１２    ヒンジ部
１５    表示パネル
１６    ハンドル
１７、１８  キャスター
２０    循環ダクト
２１ａ  吸込口
２２ａ  吹出口
２２ｃ  吸気路
２２ｄ  排気路
２５    送風機
２６    イオン発生装置
３６    温度センサ
５０    脱臭ユニット
５１    脱臭体
５２    ハウジング
５２ａ  流入口
５２ｂ  流出口
５２ｃ  本体部
５２ｄ  蓋部
５２ｅ、５２ｆ  係合部
５２ｇ  係合壁
５２ｈ  係合部
５２ｋ  前面パネル
５３    リブ
５４    グリル
５５    保持部
５５ａ  平板部
５５ｂ、５５ｃ  リブ
５５ｄ、５５ｅ  係止部
５６    補強リブ
７０    冷蔵庫（脱臭保存庫）
７１    冷蔵室
７２    製氷室
７３    野菜室
７４    第１冷凍室
７５    第２冷凍室
８０    ダクトユニット（循環ダクト）
８１    前面パネル
８２    断熱材
８３    第１冷気通路
８３ａ、８３ｂ、８３ｃ、８３ｄ、８３ｅ    吐出口
８４    第２冷気通路
８５    送風機
８６、８７    ダンパ
８８    戻り口
８９    開口部
９０    戻り通路
９１    戻りダンパ
【図１】
0006317208.tif 000002
【図２】
0006317208.tif 000003
【図３】
0006317208.tif 000004
【図４】
0006317208.tif 000005
【図５】
0006317208.tif 000006
【図６】
0006317208.tif 000007
【図７】
0006317208.tif 000008
【図８】
0006317208.tif 000009
【図９】
0006317208.tif 000010
【図１０】
0006317208.tif 000011
【図１１】
0006317208.tif 000012
【図１２】
0006317208.tif 000013
【図１３】
0006317208.tif 000014